(57)【要約】  本発明は、シェードが取り付けられる外面と内部空洞を規定する内面とを有するシェードの導管を具えるモータローラシェードを有利に提供する。モータシェードは、また、内部空洞の中に配置されたモータとともに、モータに連結されてモータを制御する制御装置を具える。モータローラはさらに、内側空間を有する電源スリーブを具え、この電源スリーブは、前記内部空洞の中に配置され、モータと連結している。このスリーブは、前記外面と内面の間に延在するアクセスポートによりアクセスされてもよい。【選択図】図５
2015514892.tif 000002
【特許請求の範囲】
【請求項１】
モータローラシェードであって：
シェードが取り付けられる外面と内部空洞を規定する内面とを有する、シェードの導管と；
前記内部空洞の中に配置され、モータユニットが前記シェードの導管を駆動するモータと；
前記モータを制御する制御装置と；
室内空洞を有する電源室であって、前記内部空洞の中に配置され、当該電源室から前記モータに電力が供給される電源室と；
前記外面と内面の間に延在するアクセスポートであって、前記電源室の内側空間へのアクセスを提供するアクセスポートと；
を具えることを特徴とするモータローラシェード。
【請求項２】
請求項１に記載のモーラローラシェードにおいて、前記シェードの導管が第１シェルと第２シェルとを具えることを特徴とするモータローラシェード。
【請求項３】
請求項１に記載のモータローラシェードにおいて、さらに前記モータを前記電源に連結する接触領域を具えることを特徴とするモータローラシェード。
【請求項４】
請求項３に記載のモータローラシェードにおいて、前記接触領域がさらに正極端子を具えることを特徴とするモータローラシェード。
【請求項５】
請求項３に記載のモータローラシェードにおいて、前記接触領域が保持ストッパを具えることを特徴とするモータローラシェード。
【請求項６】
請求項１に記載のモータローラシェードにおいて、前記制御装置が無線信号を受信する無線受信機を具えることを特徴とするモータローラシェード。
【請求項７】
請求項１に記載のモータローラシェードにおいて、前記制御装置が無線信号を送信する無線送信機を具えることを特徴とするモータローラシェード。
【請求項８】
請求項１に記載のモータローラシェードにおいて、前記電源室が、前記モータおよび前記制御装置と電気的に接続され少なくとも１つの電池を収容する電池チューブを具えることを特徴とするモータローラシェード。
【請求項９】
請求項８に記載のモータローラシェードにおいて、少なくとも１つの電池は４つの電池である、ことを特徴とするモータローラシェード。
【請求項１０】
請求項８に記載のモータローラシェードにおいて、前記少なくとも１つの電池は単一乾電池であることを特徴とするモータローラシェード。
【請求項１１】
モータローラシェードであって：
シェードが取り付けられる外面と内部空洞を規定する内面とを有する、シェードの導管と；
前記内部空洞の中に配置され、モータユニットが前記シェードの導管を駆動するモータと；
前記モータを制御する制御装置と；
内側空間を有する電源スリーブであって、前記内部空洞の中に配置され、当該電源スリーブから前記モータに電力が供給される電源スリーブと；
前記外面と内面の間に延在するアクセスポートであって、前記電源スリーブの内側空間へのアクセスを提供するアクセスポートと；
前記アクセスポートへのアクセスを提供するアクセス扉と；
を具えることを特徴とするモータローラシェード。
【請求項１２】
請求項１１に記載のモータローラシェードにおいて、前記アクセス扉が、前記アクセスポートをカバーする第１位置と、前記アクセスポートを露出する第２位置との間を移動することを特徴とするモータローラシェード。
【請求項１３】
請求項１１に記載のモータローラシェードにおいて、前記アクセス扉が機械的取付具により前記アクセスポートに取り外し可能に取り付けられていることを特徴とするモータローラシェード。
【請求項１４】
請求項１１に記載のモータローラシェードにおいて、前記アクセス扉がボルト取付により前記アクセスポートに取り外し可能に取り付けられていることを特徴とするモータローラシェード。
【請求項１５】
請求項１１に記載のモータローラシェードにおいて、前記制御装置が無線信号を受信する無線受信機を具えることを特徴とするモータローラシェード。
【請求項１６】
モータシェードが使用のため設置された状態でアクセス可能な、モータローラシェード用内部電源ユニットであって：
外面と内側空間を規定する内面とを有する電源スリーブであって、前記モータシェードのシェードの導管内に配置されている電源スリーブと；
前記外面と内面の間に延在するアクセスポートであって、前記電源スリーブの内側空間へのアクセスを提供するアクセスポートと；
を具えることを特徴とする内部電源ユニット。
【請求項１７】
請求項１６に記載の内部電源ユニットにおいて、さらに前記アクセスポートの開閉を可能とする扉を具えることを特徴とする内部電源ユニット。
【請求項１８】
請求項１７に記載の内部電源ユニットにおいて、前記扉が、前記アクセスポートをカバーする第１位置と、前記アクセスポートを露出する第２位置との間を移動することを特徴とする内部電源ユニット。
【請求項１９】
請求項１６に記載の内部電源ユニットにおいて、無線信号を受信する受信機を有する制御装置を具えることを特徴とする、請求項１６に記載の内部電源ユニット。
【請求項２０】
モータローラシェードであって：
シェードが取り付けられる外面と内部空洞を規定する内面とを有する、シェードの導管と；
前記内部空洞の中に配置され、モータユニットが前記シェードの導管を駆動するモータと；
前記内部空洞に配置される少なくとも１つの電池を収容し、当該電池と連結される電池チューブと；
前記外面と内面の間に延在するアクセスポートであって、前記電池チューブからの前記少なくとも１つの電池の挿入または取り外しを可能にするアクセスポートと；
を具えることを特徴とするモータローラシェード。
【発明の詳細な説明】
【技術分野】
【０００１】
本発明はモータシェードに関する。特に、本発明はモータ付きのシェードまたはブラインドの電源の挿入と取り外しを容易にする、アクセスポートの設計に関する。
【背景技術】
【０００２】
窓周りの装飾の一般的な形の一つはローラシェードである。１９世紀の一般的な窓のカバーとして、ローラシェードは、円筒形の回転チューブに取り付けられた、布または他の素材の長方形の簡素なパネルである。シェードチューブが一方向に回転するとシェードがそれ自身の上に巻き上がり、シェードチューブが逆方向に回転するとシェードが降りて窓の所望の部分を隠すように、シェードチューブは窓の上枠の近くに設置される。
【０００３】
シェードチューブの回転方向に関わらず、その移動範囲に沿った１以上の位置で固定できる制御システムが、しばしばシェードチューブの一端に取り付けられている。簡易な機械式制御システムは、つめ車とつめの機構、摩擦ブレーキ、クラッチなどを具えている。シェードを巻き上げ、下げるため、およびシェードを移動範囲に沿った中間位置で止めるために、つめ車とつめ、および摩擦ブレーキ機構は、シェードの下端をユーザーが操作する必要があり、クラッチ機構はユーザーによって操作される制御チェーンを具える。
【０００４】
ローラシェードのデザインの発展につれ、モータ駆動式のシェードが好まれるようになった。ローラシェードの動力化が達成され、１つの例では、簡易な機械式制御システムを、シェードチューブに直接接続された電気モータに置き換えている。モータはシェードチューブの内側か外側に設置され、ローラシェードのサポートに固定され、簡易なスイッチ、あるいはより精巧なモータの起動とシェードチューブの回転を制御する無線周波数（ＲＦ）または赤外線（ＩＲ）トランシーバーに接続されている。
【０００５】
周知のモータローラシェードの多くは、１２０ＶＡＣ、２２０／２３０ＶＡＣ５０／６０Ｈｚといった電力を、そのモータローラシェードが取り付けられている設備からモータや制御電子装置に供給する。近年開発された、電池駆動のローラシェードは、モータと制御電子装置を電源に接続する必要性を無くすことで、取り付けの柔軟性が増している。これらのローラシェードの電池は、シェード取付ブラケットやヘッドレールや回り縁の内側、上部、若しくはこれらに隣接して取り付けることができる。残念ながら、これらの電池駆動のシステムは多くの欠点を抱えており、例えば、エンドユーザが電池を挿入または取り外すのにローラシェードを分解しなくてはならない。したがって、ローラシェードを分解したり、取り付けた位置から動かすことなく電池を交換できるような電池駆動システムの必要性が存在する。
【発明の概要】
【０００６】
本発明の実施例は有利なことに、シェードが取り付けられる外面と内部の空洞を規定する内面とを有するシェードの導管と、前記内部の空洞に配置され、モータユニットが前記シェードの導管を駆動するモータと、このモータに連結され当該モータを制御する制御装置と、前記内部の空洞に配置されており、内側空間を有し前記モータに連結している電源スリーブと、前記外面と内面の間に延在し、前記電源スリーブの内側空間へのアクセスを可能にするアクセスポートと、を具えるモータローラシェードを提供する。
【０００７】
本発明の他の実施例は、外面と内側空間を規定する内面とを有し、モータシェードのシェードの導管内に配置される電源スリーブと、前記外面と内面の間に延在し、前記電源スリーブの内側空間へのアクセスを可能にするアクセスポートと、アクセスポートの開閉を可能にする扉とを具える、モータシェードを使用のために取り付けた状態でアクセス可能な、モータローラシェード用の内部電源ユニットを提供する。
【０００８】
本発明の更なる実施例は、シェードが取り付けられる外面と内部の空洞を規定する内面をと有するシェードの導管と、この内部の空洞に配置され、モータユニットが前記シェードの導管を駆動するモータと、前記内部の空洞に配置され少なくとも１つの電池を収容し、この電池と接している電池チューブと、前記外面と内面の間に延在し、前記少なくとも１つの電池を前記電池チューブから挿入し取り外すことを可能とするアクセスポートと、を具えるモータローラシェードを提供する。
【０００９】
本発明の特定の実施例を、ここに記載の詳細な説明がより理解されるように、本技術分野への現在の貢献がより理解されるように、より広く概説されている。もちろん、追加の発明の実施例が以下に記載され、添付の特許請求の範囲の主題を形成する。
【００１０】
この点において、本発明の詳細な実施例の少なくとも１つを説明する前に、本発明は、以下の記載や図面の記載に明らかにされている、構造の詳細や部品の配置の適用例に限定されないことが理解されるべきである。本発明はこれらの記載の他にも実施することができ、様々な方法で実施、実現することができる。また、要約と同様に、本書に使用される表現や用語は説明のためのものであり、限定して捉えるべきものではないことが理解されるべきである。
【００１１】
このように、当業者は、本発明のいくつかの目的を実現する他の構造、方法、およびシステムの設計の基礎として、本開示が基礎とする概念を容易に利用できることが理解できるであろう。したがって、本発明の意図と範囲から逸脱しない限りにおいて、特許請求の範囲はこのような同等の構成物を含むものとみなされることが重要である。
【図面の簡単な説明】
【００１２】
【図１】図１は、本発明の一実施例にかかるモータシェード組立品の等角図である。
【図２】図２は、本発明の一実施例にかかる図１に記載のモータローラシェード組立品を反対の底部から見た等角図である。
【図３】図３は、図２に記載のモータローラシェード組立品の等角図であり、本発明の一実施例にかかるスライド扉を示す。
【図４】図４は、本発明の一実施例にかかるスライド扉を示すモータシェード組立品の等角図である。
【図５】図５は、図４に記載されたモータシェード組立品の等角図の一部である。
【図６】図６は、本発明の一実施例にかかるモータローラシェード組立品の概略断面図である。
【図７】図７は、本発明の一実施例にかかるモータシェードの電源アセンブリの拡大断面図である。
【図８】図８は、本発明の一実施例にかかるモータハウジングと電池の斜視図である。
【図９】図９は、図８に記載された実施例を反対の底部から見た斜視図である。
【図１０】図１０は、図８および９に記載された実施例の電気インターフェースの断面図である。
【図１１】図１１は、本発明の一実施例にかかるモータハウジングの分解斜視図である。
【図１２】図１２は、図１１に記載されたモータハウジングの下方斜視図である。
【発明を実施するための形態】
【００１３】
本発明を図面を参照して説明され、通して同じ参照番号は同じ部品を示す。本書で使用される「シェード」という用語は、シェードやカーテンやスクリーンなどのような柔軟性のある素材を表し、収容管から展開し、その上に回収することができる。
【００１４】
本発明の実施例は、電池（類似する電源）、ＤＣギアモータ、制御回路のすべてが、ベアリングにより支持されているシェードチューブの中に収容されるモータローラシェードを提供する。これらの電池は、シェード組立品を取り付け位置から動かすことなく、またはシェード組立品の分解を要することなく、取付または交換を行うことができる。２つの支持シャフトがそれぞれの取付ブラケットに取り付けられ、ベアリングがシェードチューブを各支持シャフトに回転可能に連結している。ＤＣギアモータの出力シャフトは支持シャフトの１つに固定されており、一方でＤＣギアモータハウジングは機械的にシェードチューブに連結されている。したがって、ＤＣギアモータの動作により、モータハウジングが、固定されているＤＣギアモータ出力シャフトの周りを回転し、これにより、シェードチューブが、固定されているＤＣギアモータ出力シャフトの周りを同様に回転する。これらの実施例は電源や制御の外部配線を必要としないため、モータローラシェードの取付や再取付の大きな自由度が提供される。
【００１５】
モータ機構と制御部品をシェードチューブ内へカプセル化することにより、ベアリングの性能と上記のＤＣギアモータの構造の向上した電池容量と相まって、１つの電池セットにより提供されるデューティーサイクルの数が大きく増え、効率性の高いローラシェードが提供される。さらに、カプセル化は、チリと他の汚染物質が電子機器と駆動構成要素に入るのを有利に防ぐ。
【００１６】
図面を見ると、同じ部品には同じ参照番号が付されており、図１は全体を符号１０で示すモータローラシェード組立品を示し、シェード１２を展開する標準的な繰り出し機構を有する。図１に示されるように、シェード組立品はエンドブラケット１４、１６を具え、これにより、窓やドアなど、あるいはカバーされる任意の開口部の頂部付近に、シェード組立品１０を取り付けることができる。また、図１に示すように、ローラシェード組立品１０は２本の支持シャフト１８、２０（図１に示さず）を具え、これらはそれぞれ取付ブラケット１４、１６に取り付けられている。
【００１７】
図１および２を見ると、示すように、モータローラシェード組立品１０はさらにモータチューブ組立品２２を具える。１つの好ましい実施例では、通常、モータローラシェード組立品１０がチューブ組立品２２を具え、これがモータ２４と、モータ制御システム２６と、モータ電源ユニットまたは電池スリーブ２８と、カウンタバランスシステム３０と、エンドキャップ３２、３４とを格納する。下記により詳細に記載されるように、好ましい実施例では、モータローラシェード組立品１０の動作に動力と制御を与えるのに必要なすべての構成要素が、モータチューブ組立品２２の中に有利に配置される。
【００１８】
図２−５には、本発明の一実施例にかかるモータローラシェード組立品１０が記載されている。モータローラシェード組立品１０は、モータ２７と、制御ユニット２６と、好ましくは少なくとも１つの電池３８または同等のものである電源または電池スリーブ２８とを収容するチューブ組立品２２を具える。１つの電池３８を用いてもよいが、好適な一実施例では４つの「Ｄ」サイズ（単一形）の電池を用いる。先に述べたように、このような実施例では、電池は（図４−７に示すように）電池スリーブまたは導管２８に収容される。記載されているモータ２７と制御ユニット２６と電池スリーブ２８は、チューブ組立品２２の内部の空洞に配置され、先に説明したように、この内部の空洞はシェードチューブの内面により規定される。図２−５に示すように、チューブ組立品２２は、開口部、アクセスまたはポートまたはスロット３６を有し、これによりエンドユーザは電池スリーブ２８にアクセスして、チューブ組立品２２内に収容されているスリーブ２８に電池３８を挿入し取り外すことができる。図２に示すように、上記のアクセス扉またはスロット３６はモータローラシェード組立品１０のシェード１２が完全に展開されたときに露出する。一実施例では、ポートまたはスロット３６はスライド扉４０とバンプストップ４２とを具える。シェード１２の巻き上げ、収納および／または巻き下げなどの、モータローラシェード組立品１０の通常の動作において、シェード１２はスライド扉４０とバンプストップ４２によって開口部３６を覆っている。
【００１９】
手短に図７を見ると、チューブ組立品２２内に配置された電源または電池スリーブ２８の詳細断面図が示されている。先の説明では少なくとも１つの電池３８が記載されていたが、図７に記載された詳細な実施例では４つの「Ｄ」サイズ（単一形）電池３８が示されている。このような実施例では、先に述べたように、電池は電池スリーブまたは導管２８に収容される。図２−５に示すように、チューブ組立品２２は開口部、アクセスまたはポートまたはスロット３６を有し、これによりエンドユーザは電池スリーブ２８にアクセスして、チューブ組立品２２内に収容されているスリーブ２８に電池３８を挿入し取り外すことができる。図２に示すように、上記のアクセス扉またはスロット３６はモータローラシェード組立品１０のシェード１２が完全に展開されたときに露出する。先に述べたように、ポートまたはスロット３６は、スライド扉４０とバンプストップ４２とを具える。これも先に述べたように、バンプストップ４２は突出部４８を具え、これが電池スリーブ２８の内部で装填された電池３８を押しつけて、モータローラシェード組立品１０の運用中に、電池３８の位置が動く可能性を防止する。このバンプストップは弾力性があり圧可能な素材で構成され、これにより突出部４８が電池スリーブ２８内で装填された電池３８を圧迫して、モータローラシェード組立品１０の運用中に電池３８の位置が動く可能性を防止する。突出部４８は、また、電池３８に対する締り嵌めとしての機能も与え、電池３８の装填と交換の際にこれらを適所に保持する。
【００２０】
先に述べたように、モータローラシェード組立品１０の運用中は、スリーブ２８と電池３８にアクセスするためにシェード１２を完全に展開しなくてはならない。電池３８は、扉４０で部分的にカバー可能なポートまたはスロット３６を通して装填し、取り外すことができる。扉４０は図３−５に記載されているように開位置に移動または動かすことができ、これにより電池３８の取り外しと装填が可能となる。あるいは、扉４０は、締り嵌め、摩擦嵌め、ヒンジ、ねじ、および／または好みの機械的取付手段または方法によって、ポートに連結されてもよい。
【００２１】
特に、ローラシェード組立品１０の等角図である図３−６を見ると、組立品１０が開位置にある状態が記載されている。開位置とするとポート３６が露出して、扉４０が電池３８の挿入や取り外しができるような位置となる。この開位置において、電池３８は、スリーブ２２の内部の電源ユニット２８の内部に配置され、図に示すように、取り外しや交換のために容易にアクセスすることができる。
【００２２】
逆に、扉４０は反対方向の閉位置に移動させることができ、ここで電池３８はスリーブ組立品内に位置し、モータローラシェード組立品１０が作動することができる。先に述べたように、スリーブ扉４０は止め具５０を有し、これによりスリーブ２８内で最後に装填された電池３８が正確に配置される。
【００２３】
バンプストップ４２については、弾力性があり圧可能な素材で構成されることが望ましく、これにより突出部４８が電池スリーブ２８内で装填された電池３８を圧迫して、モータローラシェード組立品１０の運用中に電池３８の位置が動く可能性を防止する。突出部４８は、また、電池３８に対する締り嵌めとしての機能も与え、電池３８の装填と交換の際にこれらを適所に保持する。電池３８を取り外す際には、図５および６に示すように、バンプストップ４２は取り外され、これにより電池３８が自由に動き、戻しバネ４４が電源ユニット２８から電池を押し出し、または排出することができる。
【００２４】
電池３８の取り外しの際には、扉４０は、図２および５に記載された位置に移動され、または動かされる。しかしながら、上記の移動の前に、バンプストップ４２は取り外される。次に、電池３８が取り外される。電池３８の装填の際には、バンプストップ４２が再配置され、電池３２がチューブ組立品２２の中に装填される。ついで、扉４０は図７に記載された位置に移動される。
【００２５】
モータローラシェード組立品１０の内部の構成要素については、図６に示すように、組立品１０は通常、モータユニット２７と制御システム２６とを具える。一実施例では、モータユニットと制御システムは、電源導管または電池スリーブ２８に直接接続されることが望ましく、回路基板ハウジングと、ＤＣモータおよび一体型モータギア低減組立品を有するＤＣギアモータと、軸受ハウジングとを具える。しかしながら、代替的に、モータユニットは、モータユニットを電源ユニットに接続させる電力コネクタを具えてもよい。このような実施例では、電力コネクタは、電源ユニット２８に接続する端子と、回路基板に接続する電力ケーブルとを具えてもよい。この端子は、対応する電源ユニット２８の正負のコネクタと合う正負のコネクタを具えてもよく、例えば、差込コネクタや、ブレードコネクタ、同軸コネクタ、などである。電力コネクタは、チューブ組立品の内面に、圧入、締り嵌め、摩擦嵌め、キー、粘着剤、などを用いて機械的に連結されてもよい。
【００２６】
上記の回路基板は、通常、モータ２７の動作の感知と制御、電源ユニット２８から供給される電力の管理および／または調整などに必要な、すべてのサポート回路と電子部品を具え、これには、例えば制御装置やマイクロコントローラ、メモリ、無線受信機などが含まれる。
【００２７】
本発明が内包する実施例では、無線受信機のアンテナが回路基板に取り付けられてもよい。代替的に、アンテナは回路基板ハウジングの外側に配置されてもよい。
【００２８】
他の実施例では、無線送信機も設けられ、モータローラシェード組立品１０の状態、パフォーマンスなどに関連する情報が定期的に、あるいは好ましくは無線診断用装置からの特定の照会に対応して無線診断用装置に送信されてもよい。
【００２９】
図３および４に戻ると、図示するように、チューブ２２は、無線信号エネルギーの無線受信機への伝送、およびもし装備されていれば無線送信機からの伝送を実現する１またはそれ以上のスロット６２を具える。例えば、無線信号が無線周波数（ＲＦ）帯内にある場合、スロットは信号の波長と有利に合うであろう。例えば１つの無線周波数（ＲＦ）の実施例において、スロットは幅が１／８インチで長さが２１／２ インチであるが、必要性やユーザの要望によって様々な寸法を用いることができる。
【００３０】
例示的な実施例では、モータ２７は回路基板に電気的に接続され、モータギア減速アセンブリ５２の入力シャフトに接続されている出力シャフトを有する。本発明の様々な実施例において、ＤＣモータ５０とモータギア減速アセンブリ４６は１つの機械パッケージとして提供される。
【００３１】
本発明の好ましい実施例において、ＤＣギアモータの定格電圧は、電池が生成する電圧よりも大幅に高く、これは２またはそれ以上の係数であり、例えば、ＤＣモータを低減したスピードとトルクの定格で動作させることで、望ましくない高周波ノイズが有利に取り除かれ、電池からの電流が低くなり、これにより電池の寿命が改善される。換言すると、定格電圧よりも低い電圧をＤＣモータギアへ適用することでモータが定格速度よりも低い速度で作動し、定格電圧で作動するＤＣギアモータと比べてより静かな作動とより長い電池の寿命が提供され、低い回転数で同等の機械動力が生成される一方で同等のアンペア数が引き出される。上記の実施例において、低電圧で作動する２４ＶのＤＣギアモータは、同じ電池スタックを用いた１２ＶのＤＣギアモータと比べて電池駆動式のローラシェードの寿命サイクルを約２０％高める。
【００３２】
本発明に包まれる他の実施例では、モータと電力組立品が上記のように内部に収容されない。例えば、モータ組立品と電池／電源のうちの一方または両方がモータローラシェード組立品１０の外部に収納されてもよい。
【００３３】
図８−１２に転ずると、本発明の他の実施例が示されている。特に、モータローラシェード組立品１００は、２つの半部１０４と１０６とを有するモータハウジング１０２を具える。図示された実施例においては、モータローラシェード組立品１００は、モータ１０８と電池室１１０とカウンターバランスシステム１０５とを格納するモータハウジング１０２を具える。
【００３４】
図９−１１を見ると、モータローラシェード組立品１００は、内部に電池室１１０に隣接配置されたモータを有するモータハウジング１０２を具える。電池室１１０は少なくとも１つの電池１１２または同等物を収容することが好ましい。１つの電池１１２が利用されてもよいが、この実施例では４つの「Ｄ」サイズ（単一形）電池の使用が記載されている。上述のように、このような実施例では、（図１０−１２に示すように）電池は電池室１１０に収容される。図１１および１２に示すように、電池室１１０は開口部、アクセスまたはポート１１４を有し、これによりエンドユーザが電池室１１０にアクセスし、電池室１１０に電池１１２を挿入し取り外すことができる。前記のスロット１１４は、図示するように、モータローラシェード組立品１００のシェードが完全に展開されているときに露出する。代替的に、モータと電力組立品は上述のように内部に収容されなくてもよい。例えば、モータ組立品と電池／電源のうちの一方または双方がモータシェード組立品１００の外部に収容されてもよい。
【００３５】
手短に図９を見ると、モータハウジング１０２のねじ式キャップ１１８の接触領域１１６の詳細な斜視図が示されている。接触領域１１６は、電池１１２を保持する保持ストッパ１２２とともに正極電池端子１２０を提供する。ねじ式キャップ１１８は、名前が示すようにねじ状の部分１２４を有し、これによりモータハウジングと電池室がしっかりと固定して装着される。先述のキャップ１１８は、電池室に配置された軸バネ（図示せず）の補助とともに、電池１１２を適所に保持する保持ストッパ１２２を具える。図１１および１２に示すように、電池室１１０は開口部、アクセス、またはポート、あるいはスロット１１４を有し、これによりエンドユーザが電池１１２にアクセスし、ローラ組立品１００に収容された電池室１１０に電池１１２を挿入し取り外すことができる。
【００３６】
特に図１０−１２はシェード組立品１００の構成要素の断面図であり、半部１０４、１０６と電池室１１０とを具えるモータハウジング１０２が示されている。特に、図１０を参照すると、個々の半部１０４、１０６と電池室１１０とを有するモータハウジング１０２を具える構成要素の断面図が示されている。図１０はまた、電池リード領域１３０、保持ストッパ１２２、正極端子１１６、および負極端子１２０とを記載している。先に説明したように、保持ストッパ１２２は、名前が示すように、電池室１１０に挿入されたときに電池１１２を保持する。
【００３７】
特に図１１、１２に転ずると、２つの半部１０４、１０６を有するモータハウジング１０２を具えるモータローラシェード組立品１００の分解図が示されている。示す実施例において、モータローラシェード組立品１００は、モータ１０８と、電池室１１０と、カウンターバランスシステム１１２とを格納するハウジング１０２を具える。図示するように、シェード組立品１００は、内部に電池室１１０に隣接配置されたモータを有するモータハウジング１０２を具える。電池室１１０は少なくとも１つの電池１１２または同等物を収容することが望ましい。１つの電池１１２が利用されてもよいが、この実施例では４つの「Ｄ」サイズ（単一形）電池の使用が記載されている。図１１および１２に示すように、電池室１１０は、開口部、アクセス、またはポート１１４を有し、これによりエンドユーザが電池室１１０にアクセスし、電池室１１０に電池１１２を挿入し取り外すことができる。上記のスロット１１４は、図示するように、モータローラシェード組立品１００のシェードが完全に展開されているときに露出する。図１１は上方から見た分解図であり、図１２は下方から見た分解図である。
【００３８】
本発明の多くの特徴と利点はこの詳細な説明から明白であり、したがって、添付の特許請求の範囲によって、本発明の真の意図および範囲内にある、本発明のこのような特徴と利点のすべてがカバーされるべきである。さらに、当業者による数多くの修正と変更が可能であるため、本発明を、図示され、説明されたとおりの構成や作動だけに限定すべきではなく、したがって、すべての適切な変更例、均等物は本発明の範囲内にあるといえる。
【図１】
2015514892.tif 000003
【図２】
2015514892.tif 000004
【図３】
2015514892.tif 000005
【図４】
2015514892.tif 000006
【図５】
2015514892.tif 000007
【図６】
2015514892.tif 000008
【図７】
2015514892.tif 000009
【図８】
2015514892.tif 000010
【図９】
2015514892.tif 000011
【図１０】
2015514892.tif 000012
【図１１】
2015514892.tif 000013
【図１２】
2015514892.tif 000014
【国際調査報告】
2015514892.tif 000015
2015514892.tif 000016